(57)【要約】【課題】梱包作業、輸送作業および組立作業の作業性を向上させることが可能な表示装置を提供する。【解決手段】このテレビジョン装置１００は、表示画面部１１を含む表示モジュール１０と、スタンド部材４０が取り付けられるスタンド取付部材２０と、スタンド取付部材２０が位置ずれ可能に取り付けられたリアキャビネット５０とを備え、スタンド取付部材２０は、リアキャビネット５０に位置ずれ可能に取り付けられた状態で、表示モジュール１０に固定的に取り付けられており、スタンド取付部材２０および表示モジュール１０は、それぞれ、互いの位置を決める位置決め構造を有している。【選択図】図１０
2015138105.tif 000002
【特許請求の範囲】
【請求項１】
表示画面部を含む表示モジュールと、
スタンド部材と、
前記スタンド部材が取り付けられるスタンド取付部材と、
前記スタンド取付部材部材が位置ずれ可能に取り付けられたリアキャビネットとを備え、
前記スタンド取付部材は、前記リアキャビネットに位置ずれ可能に取り付けられた状態で、前記表示モジュールに固定的に取り付けられており、
前記スタンド取付部材および前記表示モジュールは、それぞれ、互いの位置を決める位置決め構造を有している、表示装置。
【請求項２】
前記スタンド取付部材は、前記表示画面部に平行かつ鉛直な第１方向、および、前記表示画面部に平行かつ水平な第２方向に、それぞれ、位置ずれ可能な所定の隙間を前記リアキャビネットに対して有した状態で、前記表示モジュールに固定的に取り付けられている、請求項１に記載の表示装置。
【請求項３】
前記リアキャビネットまたは前記スタンド取付部材の一方は、前記表示画面部の前後方向である第３方向に延びる凹部を有しており、
前記リアキャビネットまたは前記スタンド取付部材の他方は、前記凹部に係合する前記第３方向に延びる凸部を有しており、
前記凸部は、前記第１方向および前記第２方向において、それぞれ、位置ずれ可能な所定の隙間を有した状態で、前記凹部に係合するように構成されている、請求項２に記載の表示装置。
【請求項４】
前記スタンド取付部材は、前記リアキャビネットに対して前記表示画面部の前後方向である第３方向に位置ずれ可能な所定の隙間を有した状態で、前記表示モジュールに固定的に取り付けられている、請求項１〜３のいずれか１項に記載の表示装置。
【請求項５】
前記第３方向において、前記リアキャビネットおよび前記スタンド取付部材が、位置ずれ可能な前記所定の隙間を有した状態で、前記リアキャビネットから前記スタンド取付部材が外れるのを防止する抜け止め部が設けられている、請求項４に記載の表示装置。
【請求項６】
前記抜け止め部は、
前記リアキャビネットに設けられ、前記スタンド取付部材の厚みよりも前記所定の隙間分大きい突出量で前記第３方向に突出するボス部と、
前記ボス部の先端に取り付けられ、前記スタンド取付部材に対して前記所定の隙間を有した状態で係合する抜け防止部材とを含む、請求項５に記載の表示装置。
【請求項７】
前記抜け止め部は、前記リアキャビネットに一体的に設けられ、前記スタンド取付部材に対して前記第３方向に位置ずれ可能な前記所定の隙間を有した状態で係合するフック部を含む、請求項５に記載の表示装置。
【請求項８】
前記スタンド取付部材および前記表示モジュールの一方は、第１位置決め部および第２位置決め部を有しており、
前記スタンド取付部材および前記表示モジュールの他方は、前記第１位置決め部に係合することにより前記表示画面部に平行かつ鉛直な第１方向の位置決めをする第３位置決め部、および、前記第２位置決め部に係合することにより前記表示画面部に平行かつ水平な第２方向の位置決めをする第４位置決め部を有している、請求項１〜７のいずれか１項に記載の表示装置。
【請求項９】
前記表示モジュールは、金属製のリアフレームを含み、
前記リアフレームには、前記スタンド取付部材が前記リアキャビネットに位置ずれ可能な状態で、固定的に取り付けられている、請求項１〜８のいずれか１項に記載の表示装置。
【発明の詳細な説明】
【技術分野】
【０００１】
この発明は、表示装置に関し、特に、スタンド部材およびスタンド取付部材を備える表示装置に関する。
【背景技術】
【０００２】
従来、スタンド部材およびスタンド取付部材を備える表示装置が知られている（たとえば、特許文献１参照）。
【０００３】
上記特許文献１には、スタンドと、フレームと、フレームに取り付けられた状態でスタンドが取り付けられる取付座面と、後ろキャビネットとを備えた表示装置が開示されている。また、取付座面は、フレームに対して位置決めされた状態で取り付けられるように構成されている。また、後キャビネットは、前キャビネットに対して位置決めされた状態で取り付けられるように構成されている。
【先行技術文献】
【特許文献】
【０００４】
【特許文献１】特開２００５−３５２３３３号公報
【発明の概要】
【発明が解決しようとする課題】
【０００５】
しかしながら、部品の製造作業と組立作業とが異なる場所で行われる場合には、各部品を組み付け状態で輸送することにより、梱包作業および組立作業などの負担を軽減することが好ましい一方、上記特許文献１に記載の表示装置では、取付座面および後キャビネットを、それぞれ、別個に梱包する作業を行うとともに輸送した後、別個に組み付け作業を行わなければならないという不都合がある。その結果、作業性が悪くなるという問題点がある。
【０００６】
この発明は、上記のような課題を解決するためになされたものであり、この発明の１つの目的は、梱包作業、輸送作業および組立作業の作業性を向上させることが可能な表示装置を提供することである。
【課題を解決するための手段】
【０００７】
この発明の一の局面による表示装置は、表示画面部を含む表示モジュールと、スタンド部材と、スタンド部材が取り付けられるスタンド取付部材と、スタンド取付部材が位置ずれ可能に取り付けられたリアキャビネットとを備え、スタンド取付部材は、リアキャビネットに位置ずれ可能に取り付けられた状態で、表示モジュールに固定的に取り付けられており、スタンド取付部材および表示モジュールは、それぞれ、互いの位置を決める位置決め構造を有している。
【０００８】
この発明の一の局面による表示装置では、上記のように、スタンド取付部材を、リアキャビネットに位置ずれ可能に取り付けた状態で、表示モジュールに固定的に取り付け、スタンド取付部材および表示モジュールに、それぞれ、互いの位置を決める位置決め構造を設けることによって、リアキャビネットおよびスタンド取付部材を位置ずれ可能に取り付けた（組み付けた）状態にして、スタンド取付部材を表示モジュールに固定的に取り付けることができる。これにより、スタンド取付部材および表示モジュールの位置決めを、互いに位置ずれさせた状態で別々の部材に対して行うことができるので、一度にリアキャビネットおよびスタンド取付部材の取り付け作業を行うことができ、組立作業の作業性を向上させることができる。また、リアキャビネットおよびスタンド取付部材を個別にではなく、共に梱包して輸送することができるので、梱包作業および輸送作業の作業性を向上させることができる。また、梱包資材を節減することができる。
【０００９】
上記一の局面による表示装置において、好ましくは、スタンド取付部材は、表示画面部に平行かつ鉛直な第１方向、および、表示画面部に平行かつ水平な第２方向に、それぞれ、位置ずれ可能な所定の隙間をリアキャビネットに対して有した状態で、表示モジュールに固定的に取り付けられている。このように構成すれば、表示画面部に平行な方向（第１方向および第２方向）において、スタンド取付部材がリアキャビネットに対して位置ずれ可能な状態で取り付けられるので、リアキャビネットに取り付けられていることの影響を受けることなく、スタンド取付部材の上下（第１方向）および左右（第２方向）の位置を表示モジュールに対して位置決めすることができる。その結果、表示モジュールに対して正確に位置決めされたスタンド取付部材にスタンド部材を取り付けることができるので、表示画面部を水平に保つことができる。
【００１０】
この場合、好ましくは、リアキャビネットまたはスタンド取付部材の一方は、表示画面部の前後方向である第３方向に延びる凹部を有しており、リアキャビネットまたはスタンド取付部材の他方は、凹部に係合する第３方向に延びる凸部を有しており、凸部は、第１方向および第２方向において、それぞれ、位置ずれ可能な所定の隙間を有した状態で、凹部に係合するように構成されている。このように構成すれば、凸部および凹部が位置ずれ可能な所定の隙間を有した状態で係合することにより、リアキャビネットおよびスタンド取付部材が位置ずれ可能となるので、簡易な構成でスタンド取付部材をリアキャビネットに対して第１方向および第２方向に位置ずれ可能な状態で取り付けることができる。
【００１１】
上記一の局面による表示装置において、好ましくは、スタンド取付部材は、リアキャビネットに対して表示画面部の前後方向である第３方向に位置ずれ可能な所定の隙間を有した状態で、表示モジュールに固定的に取り付けられている。このように構成すれば、表示画面部の前後方向（第３方向）において、スタンド取付部材がリアキャビネットに対して位置ずれ可能な状態で取り付けられるので、リアキャビネットに取り付けられていることの影響を受けることなく、スタンド取付部材を表示モジュールに対して前後方向にも正確に位置決めすることができる。その結果、表示画面部の前後方向への傾きを抑制できる。
【００１２】
この場合、好ましくは、第３方向において、リアキャビネットおよびスタンド取付部材が、位置ずれ可能な所定の隙間を有した状態で、リアキャビネットからスタンド取付部材が外れるのを防止する抜け止め部が設けられている。このように構成すれば、スタンド取付部材をリアキャビネットに位置ずれ可能にする場合でも、抜け止め部によりリアキャビネットからスタンド取付部材が外れることを防止することができる。これにより、梱包作業時、輸送作業時および組立作業時に、リアキャビネットからスタンド取付部材が外れるのを防止することができるので、これによっても、作業性を向上させることができる。
【００１３】
上記抜け止め部が設けられている構成において、好ましくは、抜け止め部は、リアキャビネットに設けられ、スタンド取付部材の厚みよりも所定の隙間分大きい突出量で第３方向に突出するボス部と、ボス部の先端に取り付けられ、スタンド取付部材に対して所定の隙間を有した状態で係合する抜け防止部材とを含む。このように構成すれば、ボス部の先端に取り付けられる抜け防止部材により、スタンド取付部材の第３方向への位置ずれを許容しながら、スタンド取付部材がリアキャビネットから外れるのを防止することができる。
【００１４】
上記抜け止め部が設けられている構成において、好ましくは、抜け止め部は、リアキャビネットに一体的に設けられ、スタンド取付部材に対して第３方向に位置ずれ可能な所定の隙間を有した状態で係合するフック部を含む。このように構成すれば、フック部による簡易な構成で、スタンド取付部材の第３方向への位置ずれを許容しながら、スタンド取付部材がリアキャビネットから外れるのを防止することができる。
【００１５】
上記一の局面による表示装置において、好ましくは、スタンド取付部材および表示モジュールの一方は、第１位置決め部および第２位置決め部を有しており、スタンド取付部材および表示モジュールの他方は、第１位置決め部に係合することにより表示画面部に平行かつ鉛直な第１方向の位置決めをする第３位置決め部、および、第２位置決め部に係合することにより表示画面部に平行かつ水平な第２方向の位置決めをする第４位置決め部を有している。このように構成すれば、第１位置決め部および第２位置決め部が、それぞれ、第１方向の位置決めをする第３位置決め部および第２方向の位置決めをする第４位置決め部に位置決めされるので、スタンド取付部材の表示モジュールに対する第１方向および第２方向の位置をそれぞれ精度よく位置決めすることができる。その結果、正確に位置決めされたスタンド取付部材にスタンド部材を取り付けることができるので、表示画面部を水平に保つことができる。
【００１６】
上記一の局面による表示装置において、好ましくは、表示モジュールは、金属製のリアフレームを含み、リアフレームには、スタンド取付部材がリアキャビネットに位置ずれ可能な状態で、固定的に取り付けられている。このように構成すれば、スタンド取付部材をリアフレームに対して位置決めした状態でスタンド取付部材を金属製のリアフレームに強固に固定することができる。その結果、スタンド取付部材にスタンドを取り付けた場合に表示画面部が傾くことをより抑制することができる。
【発明の効果】
【００１７】
本発明によれば、上記のように、梱包作業、輸送作業および組立作業の作業性を向上させることが可能な表示装置を提供することができる。
【図面の簡単な説明】
【００１８】
【図１】本発明の第１実施形態によるテレビジョン装置を前方から見た全体斜視図である。
【図２】本発明の第１実施形態によるテレビジョン装置を後方から見た全体斜視図である。
【図３】本発明の第１実施形態によるテレビジョン装置を前方から見た分解斜視図である。
【図４】本発明の第１実施形態によるテレビジョン装置を後方から見た分解斜視図である。
【図５】本発明の第１実施形態によるスタンド取付部材を前方から見た斜視図である。
【図６】本発明の第１実施形態によるスタンド取付部材を後方から見た斜視図である。
【図７】本発明の第１実施形態によるスタンド部材を前方から見た斜視図である。
【図８】本発明の第１実施形態によるリアキャビネットにスタンド取付部材を設置した状態を前方から見た斜視図である。
【図９】本発明の第１実施形態によるリアキャビネットにスタンド取付部材を取り付けた状態を前方から見た平面図である。
【図１０】図９の４００−４００線に沿った断面図である。
【図１１】本発明の第１実施形態によるスタンド取付部材を位置決めするためのリアフレームの第３位置決め部および第４位置決め部を示した斜視図である。
【図１２】本発明の第２実施形態によるリアキャビネットにスタンド取付部材を取り付けた状態を前方から見た平面図である。
【図１３】図１２の５００−５００線に沿った断面図である。
【図１４】本発明の第３実施形態によるテレビジョン装置を前方から見た全体斜視図である。
【図１５】本発明の第３実施形態によるリアキャビネットにスタンド取付部材を取り付けた状態を前方から見た平面図である。
【図１６】図１５の６００−６００線に沿った断面図である。
【発明を実施するための形態】
【００１９】
以下、本発明の実施形態を図面に基づいて説明する。
【００２０】
（第１実施形態）
図１〜図１１を参照して、本発明の第１実施形態によるテレビジョン装置１００の構成について説明する。なお、テレビジョン装置１００は、本発明の「表示装置」の一例である。
【００２１】
本発明の第１実施形態によるテレビジョン装置１００は、図１〜図４に示すように、表示モジュール１０と、スタンド取付部材２０と、スタンド部材４０（図３および図４参照）とを備えている。また、表示モジュール１０は、画像が表示される表示画面部１１と、リアフレーム１２とを含んでいる。また、表示モジュール１０およびスタンド取付部材２０は、それぞれ、互いの位置を決める位置決め構造を有している。以下では、テレビジョン装置１００の表示画面部１１側を前方（Ｙ１方向）とし、前方の逆方向を後方（Ｙ２方向）として説明する。なお、前方および後方は、本願発明の「第３方向」の一例である。
【００２２】
ここで、第１実施形態では、テレビジョン装置１００は、スタンド取付部材２０が位置ずれ可能に取り付けられるリアキャビネット５０をさらに備えている。具体的には、テレビジョン装置１００は、スタンド取付部材２０が表示画面部１１に平行かつ鉛直な第１方向（Ｚ方向）、および、表示画面部１１に平行かつ水平な第２方向（Ｘ方向）に、それぞれ、リアキャビネット５０に対して位置ずれ可能な所定の隙間を有した状態で、リアキャビネット５０に取り付けられるように構成されている。つまり、テレビジョン装置１００は、スタンド取付部材２０がリアキャビネット５０に対して位置決めされない状態で、リアキャビネット５０に取り付けられるように構成されている。そして、スタンド取付部材２０は、第１方向（Ｚ方向）および第２方向（Ｘ方向）に、それぞれ、位置ずれ可能な隙間をリアキャビネット５０に対して有するように、リアキャビネット５０に取り付けられた状態で、表示モジュール１０のリアフレーム１２に固定的に取り付けられるように構成されている。位置ずれ可能に取り付ける詳細な構成については後述する。
【００２３】
次に、図１〜図１１を参照して、テレビジョン装置１００の各部の構成について説明する。
【００２４】
スタンド取付部材２０は、金属により形成されている。また、スタンド取付部材２０は、図５および図６に示すように、矩形状の平板により形成されている。また、スタンド取付部材２０は、幅方向（Ｘ方向）の両方の端部２１の近傍に、それぞれ、前後方向（Ｙ方向）に貫通する円形状の一対の孔部２２を有している。また、スタンド取付部材２０は、後方側（Ｙ２方向側）の後面２３がリアキャビネット５０の前方側（Ｙ１方向側）の前面５１のリブ５２（図３参照）の前方側（Ｙ１方向側）に当接する状態で、リアキャビネット５０に対して配置されるように構成されている。なお、孔部２２は、本発明の「凹部」の一例である。
【００２５】
また、スタンド取付部材２０は、前方側（Ｙ１方向側）の前面２６の幅方向（Ｘ方向）の両方の端部２１の近傍に、それぞれ、前方（Ｙ１方向）かつ鉛直方向（Ｚ方向）に延びるとともに、平板状かつ側面視で三角形状の一対の突起部２４を有している。この一対の突起部２４は、切り起こし加工により形成されている。また、スタンド取付部材２０には、一対の突起部２４の切り起こし加工によって矩形状の一対の切り起こし孔部２５が形成されている。なお、突起部２４は、本発明の「第１位置決め部」の一例である。
【００２６】
また、スタンド取付部材２０は、前面２６の中央部に、前方（Ｙ１方向）かつ幅方向（Ｘ方向）に延びるとともに、前方側（Ｙ１方向側）の先端に丸みを帯びた矩形状かつ平板状の突起部２７を有している。なお、突起部２７は、本発明の「第２位置決め部」の一例である。
【００２７】
また、スタンド取付部材２０は、幅方向（Ｘ方向）の両方の端部２１の近傍に、それぞれ２つずつ（計４つ）、リアフレーム１２への取り付けに用いられるネジ６０（図４参照）を通すための孔部２８ａを有している。また、スタンド取付部材２０は、突起部２７を囲むようにして配置され、スタンド部材４０の取り付けに用いられる図示しないネジを締結するための４つのネジ孔２８ｂを有している。
【００２８】
リアキャビネット５０は、図８に示すように、前面５１側にスタンド取付部材２０が取り付けられた状態で、表示モジュール１０のリアフレーム１２の後方側（Ｙ２方向側）の後面１３（図４参照）を覆うようにして、表示モジュール１０に取り付けられるように構成されている。また、リアキャビネット５０は、樹脂により形成されている。また、リアキャビネット５０は、スタンド取付部材２０が配置されている状態で、上記スタンド取付部材２０の一対の孔部２２に対応する位置に、前面５１から前方向（Ｙ１方向）に延びる円柱状の一対のボス部５３（図１０参照）が形成されている。また、一対のボス部５３は、それぞれ、第１方向（Ｚ方向）および第２方向（Ｘ方向）の各々の方向において、位置ずれ可能な所定の隙間を有した状態で、スタンド取付部材２０の一対の孔部２２に挿入されて係合するように構成されている。
【００２９】
また、スタンド取付部材２０は、ボス部５３から抜けないようにすることにより（係合させた状態を維持することにより）、リアキャビネット５０に対して、前後方向（Ｙ方向）に位置ずれ可能な所定の隙間を有した状態で、リアキャビネット５０に取り付けられるように構成されている。なお、ボス部５３は、本発明の「凸部」および「抜け止め部」の一例である。
【００３０】
具体的には、図１０に示すようにリアキャビネット５０の一対のボス部５３には、それぞれ、先端部５３ｂから後方（Ｙ２方向）に延びるネジ孔５４が形成されている。この、一対のボス部５３のネジ孔５４には、それぞれ、リアキャビネット５０からスタンド取付部材２０が外れるのを防止するネジ５５および座金５６が設けられる（取り付けられる）。この座金５６の直径は、孔部２２の直径Ｄ１よりも大きくなるように構成されている。また、一対のボス部５３の高さＨ（前後方向（Ｙ方向）における高さ）は、スタンド取付部材２０の厚みＴよりも約０．５ｍｍ大きくなるように構成されている。また、一対のボス部５３の直径Ｄ２は、スタンド取付部材２０の一対の孔部２２の直径Ｄ１よりも約１．０ｍｍ（片側０．５ｍｍ）小さくなるように構成されている。これにより、リアキャビネット５０は、スタンド取付部材２０の一対の孔部２２を通されたボス部５３のネジ孔５４にネジ５５および座金５６が締結（共締め）されることによって、スタンド取付部材２０と位置ずれ可能かつ一体的となるように構成されている。この結果、スタンド取付部材２０とリアキャビネット５０とは、隙間（Ｄ１−Ｄ２）分だけ、第１方向（Ｚ方向）および第２方向（Ｘ方向）に位置ずれ可能となっている。また、スタンド取付部材２０とリアキャビネット５０とは、隙間（Ｈ−Ｔ）分だけ、前後方向に位置ずれ可能となっている。なお、ネジ５５および座金５６は、本発明の「抜け防止部材」の一例である。
【００３１】
また、表示モジュール１０のリアフレーム１２は、金属により形成されている。また、リアフレーム１２は、図１１に示すように、一対の突起部２４に係合することにより第１方向（Ｚ方向）の位置決めをする一対の縦孔部１４を有している。また、リアフレーム１２は、突起部２７に係合することにより第２方向（Ｘ方向）の位置決めをする横孔部１５を有している。なお、縦孔部１４は、本発明の「第３位置決め部」の一例である。また、横孔部１５は、本発明の「第４位置決め部」の一例である。
【００３２】
具体的には、リアフレーム１２は、後面１３側にスタンド取付部材２０が配置されている状態で、スタンド取付部材２０の一対の突起部２４に対応する位置に、それぞれ、前後方向（Ｙ方向）に貫通する矩形状かつ縦長（Ｚ方向に長い形状）の縦孔部１４を有している。また、リアフレーム１２は、後面１３側にスタンド取付部材２０が配置されている状態で、スタンド取付部材２０の突起部２７に対応する位置に、それぞれ、前後方向（Ｙ方向）に貫通する矩形状かつ横長（Ｘ方向に長い形状）の横孔部１５を有している。
【００３３】
また、図５および図１１に示すように、リアフレーム１２の縦孔部１４の縦方向（Ｚ方向、長手方向）の大きさＬ１は、スタンド取付部材２０の突起部２４の縦方向（Ｚ方向）の大きさＬ３と略同じ（Ｌ１の方が僅かに大きい）となるように構成されている。また、リアフレーム１２の一対の縦孔部１４の横方向（Ｘ方向、短手方向）の大きさは、スタンド取付部材２０の一対の突起部２４の横方向（Ｘ方向）の大きさの約２倍となるように構成されている。したがって、スタンド取付部材２０は、一対の縦孔部１４のそれぞれに突起部２４が嵌め合わされることにより、リアフレーム１２に対する第１方向（Ｚ方向）の位置が決まるように構成されている。
【００３４】
また、図５および図１１に示すように、リアフレーム１２の横孔部１５の横方向（Ｘ方向、長手方向）の大きさＬ２は、スタンド取付部材２０の突起部２７の横方向（Ｘ方向）の大きさＬ４と略同じ（Ｌ２の方が僅かに大きい）となるように構成されている。また、リアフレーム１２の横孔部１５の横方向（Ｚ方向、短手方向）の大きさは、スタンド取付部材２０の突起部２７の横方向（Ｚ方向）の大きさの約２倍となるように構成されている。したがって、スタンド取付部材２０は、横孔部１５に突起部２７が嵌め合わされることにより、リアフレーム１２に対する第２方向（Ｘ方向）の位置が決まるように構成されている。
【００３５】
また、リアフレーム１２は、図１１に示すように、後面１３の横孔部１５を取り囲むように配置された４つのネジ孔１６を有している。このネジ孔１６は、スタンド取付部材２０の４つの孔部２８ａ（図５参照）に対応するように構成されている。スタンド取付部材２０は、リアフレーム１２にネジ６０（図４参照）により締結されることにより、リアフレーム１２に位置決めされた状態で固定的に取り付けられるように構成されている。
【００３６】
スタンド部材４０は、スタンド取付部材２０、リアキャビネット５０および表示モジュール１０が組み合された状態でスタンド取付部材２０に取り付けられるように構成されている。また、リアキャビネット５０は、図３に示すように、下面５７（Ｚ２側の面）に上下方向（Ｚ方向）に貫通する孔部５８を有している。スタンド部材４０は、この孔部５８に下側（Ｚ２方向側）から通されることにより、スタンド取付部材２０およびリアキャビネット５０の間に配置されるように構成されている。このように、スタンド部材４０は、スタンド取付部材２０およびリアキャビネット５０の間に挟まれる状態で配置され、スタンド取付部材２０に取り付けられるように構成されている。
【００３７】
また、スタンド取付部材２０には、図６に示すように、スタンド部材４０の導入を補助する一対の導入補助部２９が、後面２３側に形成されている。また、スタンド取付部材２０は、図７に示すように、後面２３側から後方（Ｙ２方向）に凸状かつ縦長の一対のガイド部３０を有している。また、スタンド部材４０は、スタンド取付部材２０のガイド部３０に対応する位置および対応する形状の一対の被ガイド部４１を有している。また、スタンド部材４０は、被ガイド部４１がガイド部３０に係合することにより、横方向（Ｘ方向）の位置が決まるように構成されている。また、スタンド部材４０は、上方向（Ｚ１方向）の上端面４２が、スタンド取付部材２０の後面２３に形成されたＬ字形状の移動規制部３１（図６参照）に当接することにより上下方向（Ｚ方向）の位置が決まるように構成されている。
【００３８】
次に、テレビジョン装置１００の組立（輸送を含む）手順について説明する。
【００３９】
テレビジョン装置１００の組立前の輸送の段階では、スタンド取付部材２０がリアキャビネット５０に取り付けられた状態（いわゆるサブアッシーの状態）で、スタンド取付部材２０とリアキャビネット５０とがセットで輸送される。この際、まず、図８に示すように、スタンド取付部材２０の一対の孔部２２にリアキャビネット５０の一対のボス部５３を通すことにより、スタンド取付部材２０をリアキャビネット５０に対して第１方向および第２方向に位置ずれ可能なように設置する。
【００４０】
次に、図９に示すように、一対のボス部５３に形成された一対のネジ孔５４にネジ５５および座金５６を取り付けて、スタンド取付部材２０およびリアキャビネット５０を共締めする。これにより、スタンド取付部材２０は、図１０に示すように、リアキャビネット５０に対して前後方向、第１方向（Ｚ方向）および第２方向（Ｘ方向）に位置ずれ可能に取り付けられる。このように、スタンド取付部材２０は、リアキャビネット５０に取り付けられた状態で輸送される。
【００４１】
次に、輸送先において、表示モジュール１０に対して所定の配線処理が行われる。なお、仮に、輸送時点で、スタンド取付部材がリアキャビネットに取り付けられることなく、表示モジュールのリアフレームにスタンド取付部材が取り付けられるとする。この場合には、所定の配線処理を行うために、一旦、表示モジュールからスタンド取付部材を取り外す必要がある。
【００４２】
次に、リアキャビネット５０を表示モジュール１０に取り付ける。この際、スタンド取付部材２０の一対の突起部２４および１つの突起部２７を、それぞれ、リアフレーム１２の一対の縦孔部１４および１つの横孔部１５に嵌合させて、スタンド取付部材２０をリアフレーム１２に対して位置決めする。そして、ネジ６０（図４参照）によりスタンド取付部材２０とリアフレーム１２とを共締めする。これにより、スタンド取付部材２０は、リアフレーム１２に位置決めされた状態で固定的に取り付けられる。
【００４３】
最後に、スタンド取付部材２０にスタンド部材４０を位置決めした状態で取り付ける。以上で、テレビジョン装置１００の組立作業が終了する。
【００４４】
第１実施形態では、以下のような効果を得ることができる。
【００４５】
第１実施形態では、上記のように、スタンド取付部材２０を、リアキャビネット５０に位置ずれ可能に取り付けた状態で、表示モジュール１０に固定的に取り付け、スタンド取付部材２０および表示モジュール１０に、それぞれ、互いの位置を決める位置決め構造を設けることによって、リアキャビネット５０およびスタンド取付部材２０を位置ずれ可能に取り付けた（組み付けた）状態にして、スタンド取付部材２０を表示モジュール１０に固定的に取り付けることができる。これにより、スタンド取付部材２０および表示モジュール１０の位置決めを、互いに位置ずれさせた状態で別々の部材に対して行うことができるので、一度にリアキャビネット５０およびスタンド取付部材２０の取り付け作業を行うことができるので、梱包作業および組立作業の作業性を向上させることができる。また、リアキャビネット５０およびスタンド取付部材２０を個別にではなく、共に梱包して輸送することができ、輸送作業の作業性を向上させることができる。また、梱包資材を節減することができる。
【００４６】
第１実施形態では、上記のように、スタンド取付部材２０を、第１方向（Ｚ方向）、および、第２方向（Ｘ方向）に、それぞれ、位置ずれ可能な所定の隙間（約０．５ｍｍ）をリアキャビネット５０に対して有した状態で、表示モジュール１０に固定的に取り付ける。これにより、表示画面部１１に平行な方向（第１方向および第２方向）において、スタンド取付部材２０がリアキャビネット５０に対して位置ずれ可能な状態で取り付けられるので、リアキャビネット５０に取り付けられていることの影響を受けることなく、スタンド取付部材２０の上下（第１方向）および左右（第２方向）の位置を表示モジュール１０に対して位置決めすることができる。その結果、表示モジュール１０に対して正確に位置決めされたスタンド取付部材２０にスタンド部材４０を取り付けることができるので、表示画面部１１を水平に保つことができる。
【００４７】
第１実施形態では、上記のように、スタンド取付部材２０に、表示画面部１１の第３方向（Ｙ方向）に延びる孔部２２を設け、リアキャビネット５０に、孔部２２に係合する第３方向（Ｙ方向）に延びるボス部５３を設け、ボス部５３は、第１方向（Ｚ方向）および第２方向（Ｘ方向）において、それぞれ、位置ずれ可能な所定の隙間（約０．５ｍｍ）を有した状態で、孔部２２に係合するように構成されている。これにより、ボス部５３および孔部２２が位置ずれ可能な所定の隙間（約０．５ｍｍ）を有した状態で係合することにより、リアキャビネット５０およびスタンド取付部材２０が位置ずれ可能となるので、簡易な構成でスタンド取付部材２０をリアキャビネット５０に対して第１方向（Ｚ方向）および第２方向（Ｘ方向）に位置ずれ可能な状態で取り付けることができる。
【００４８】
第１実施形態では、上記のように、スタンド取付部材２０を、リアキャビネット５０に対して表示画面部１１の第３方向（Ｙ方向）に位置ずれ可能な所定の隙間（約０．５ｍｍ）を有した状態で、表示モジュール１０に固定的に取り付ける。これにより、表示画面部１０の前後方向（第３方向（Ｙ方向））において、スタンド取付部材２０がリアキャビネット５０に対して位置ずれ可能な状態で取り付けられるので、リアキャビネット５０に取り付けられていることの影響を受けることなく、スタンド取付部材２０を表示モジュール１０に対して前後方向にも正確に位置決めすることができる。その結果、表示画面部１１の前後方向への傾きを抑制できる。
【００４９】
第１実施形態では、上記のように、第３方向（Ｙ方向）において、リアキャビネット５０およびスタンド取付部材２０が、位置ずれ可能な所定の隙間（約０．５ｍｍ）を有した状態で、リアキャビネット５０からスタンド取付部材２０が外れるのを防止するネジ５５および座金５６を設ける。これにより、スタンド取付部材２０をリアキャビネット５０に位置ずれ可能にする場合でも、ネジ５５および座金５６によりリアキャビネット５０からスタンド取付部材２０が外れることを防止することができる。これにより、梱包作業時、輸送作業時および組立作業時に、リアキャビネット５０からスタンド取付部材２０が外れるのを防止することができるので、これによっても、作業性を向上させることができる。
【００５０】
第１実施形態では、上記のように、リアキャビネット５０に設けられ、スタンド取付部材２０の厚みＴよりも所定の隙間（約０．５ｍｍ）分大きい突出量Ｈで第３方向（Ｙ方向）に突出するボス部５３と、ボス部５３の先端に取り付けられ、スタンド取付部材２０に対して所定の隙間（０．５ｍｍ）を有した状態で係合するネジ５５および座金５６とを設ける。これにより、ボス部５３の先端に取り付けられるネジ５５および座金５６により、スタンド取付部材２０の第３方向（Ｙ方向）への位置ずれを許容しながら、スタンド取付部材２０がリアキャビネット５０から外れるのを防止することができる。
【００５１】
第１実施形態では、上記のように、スタンド取付部材２０に、突起部２４および突起部２７を設け、表示モジュール１０に、突起部２４に係合することにより表示画面部１１に第１方向（Ｚ方向）の位置決めをする縦孔部１４、および、第２位置決め部に係合することにより表示画面部１１に第２方向（Ｘ方向）の位置決めをする横孔部１５を設ける。これにより、突起部２４および突起部２７が、それぞれ、第１方向（Ｚ方向）の位置決めをする縦孔部１４および第２方向（Ｘ方向）の位置決めをする横孔部１５に位置決めされるので、スタンド取付部材２０の表示モジュール１０に対する第１方向（Ｚ方向）および第２方向（Ｘ方向）の位置をそれぞれ精度よく位置決めすることができる。その結果、正確に位置決めされたスタンド取付部材２０にスタンド部材４０を取り付けることができるので、表示画面部１１を水平に保つことができる。
【００５２】
第１実施形態では、上記のように、金属製のリアフレーム１２に、スタンド取付部材２０がリアキャビネット５０に位置ずれ可能な状態で、固定的に取り付ける。これにより、スタンド取付部材２０をリアフレーム１２に対して位置決めした状態でスタンド取付部材２０を金属製のリアフレーム１２に強固に固定することができる。その結果、スタンド取付部材２０にスタンド部材４０を取り付けた場合に表示画面部１１が傾くことをより抑制することができる。
【００５３】
（第２実施形態）
図１２および図１３を参照して、本発明の第２実施形態によるテレビジョン装置２００の構成について説明する。なお、テレビジョン装置２００は、本発明の「表示装置」の一例である。また、第１実施形態と同一の構成については、同一の符号を付して説明を省略する。
【００５４】
この第２実施形態では、リアキャビネット５０のボス部５３と、スタンド取付部材２０の一対の孔部２２とが係合するとともに、ネジ５５および座金５６によりスタンド取付部材２０を抜け止め状態とすることによって、スタンド取付部材２０をリアキャビネット５０に位置ずれ可能に取り付ける第１実施形態とは異なり、リアキャビネット２５０の一対の突起部２５３ａおよび一対のフック部２５３ｂと、それぞれに対応するスタンド取付部材２０の一対の孔部２２および一対の切り起こし孔部２５とが係合するにより、位置ずれ可能にスタンド取付部材２０をリアキャビネット２５０に取り付ける例について説明する。
【００５５】
本発明の第２実施形態によるテレビジョン装置２００のリアキャビネット２５０は、図１２および図１３に示すように、第１実施形態の一対のボス部５３の位置に対応する位置に、第１実施形態で示したボス部５３の代わりに円柱状の一対の突起部２５３ｂを有している。なお、突起部２５３ｂの外形は、ボス部５３（但し、ネジ孔５４はない）と同様である。また、リアキャビネット２５０は、スタンド取付部材２０が取り付けられた状態で、スタンド取付部材２０の切り起こし孔部２５の位置に対応する位置に一対のフック部２５３ｂを有している。なお、突起部２５３ａは、本発明の「凸部」の一例である。また、フック部２５３ｂは、本発明の「抜け止め部」の一例である。
【００５６】
一対の突起部２５３ｂは、それぞれ、第１方向（Ｚ方向）および第２方向（Ｙ方向）の各々の方向において、位置ずれ可能な所定の隙間を有した状態で、スタンド取付部材２０の一対の孔部２２に係合するように構成されている。
【００５７】
一対のフック部２５３ｂは、前面５１から前方（Ｙ１方向）に延びるように形成されている。また、一対のフック部２５３ｂは、図１２に示すように、板状部２６０と、板状部２６０の先端（Ｙ１方向側の端部）に形成される三角形状の係止片２６１とを含んでいる。また、一対のフック部２５３ｂは、係止片２６１が切り起こし孔部２５の一対の突起部２５に対向する端辺２５ａ側に係合するように構成されている。また、リアキャビネット２５０は、一対のフック部２５３ｂの近傍に、前方（Ｙ１方向）に突出するとともに、先端部２５３ｃがスタンド取付部材２０の後面２３に当接可能なリブ状の移動規制部２５３ｄを有している。この移動規制部２５３ｄは、スタンド取付部材２０の前後方向への移動範囲（約０．５ｍｍ）を決めるように構成されている。
【００５８】
また、リアキャビネット２５０は、突起部２５３ａをスタンド取付部材２０の孔部２２に係合させた状態で、かつ、移動規制部２５３ｄをスタンド取付部材２０の裏面２４に当接させた状態において、フック部２５３ｂの係止片２６１の面２５３ｅと、スタンド取付部材２０の前面２６との隙間Ｅが約０．５ｍｍとなるように構成されている。すなわち、スタンド取付部材２０は、リアキャビネット２５０に対して、前後方向（Ｙ方向）に位置ずれ可能な所定の隙間（約０．５ｍｍ）を有した状態で、リアキャビネット２５０に取り付けられるように構成されている。なお、フック部２５３ｂの係止片２６１の面２５３ｅと、スタンド取付部材２０の前面２６とは、平面視において（Ｙ方向から見た場合において）、常に一部が重なるように構成されている。また、フック部２５３ｂは、スタンド取付部材２０に対して撓ませてから取り付けられるように構成されている。
【００５９】
第２実施形態では、以下のような効果を得ることができる。
【００６０】
第２実施形態では、上記のように、第１実施形態と同様、スタンド取付部材２０を、リアキャビネット２５０に位置ずれ可能に取り付けた状態で、表示モジュール１０に固定的に取り付け、スタンド取付部材２０および表示モジュール１０に、それぞれ、互いの位置を決める位置決め構造を設けることによって、一度にリアキャビネット２５０およびスタンド取付部材２０の取り付け作業を行うことができ、組立作業の作業性を向上させることができる。また、リアキャビネット２５０およびスタンド取付部材２０を個別にではなく、共に梱包して輸送することができるので、梱包作業および輸送作業の作業性を向上させることができる。
【００６１】
第２実施形態では、上記のように、リアキャビネット２５０に一体的に設けられ、スタンド取付部材２０に対して第３方向（Ｙ方向）に位置ずれ可能な所定の隙間（約０．５ｍｍ）を有した状態で係合するフック部２５３ｂを設ける。これにより、フック部２５３ｂによる簡易な構成で、スタンド取付部材２０の第３方向（Ｙ方向）への位置ずれを許容しながら、スタンド取付部材２０がリアキャビネット２５０から外れるのを防止することができる。
【００６２】
（第３実施形態）
図１４〜図１６を参照して、本発明の第３実施形態によるテレビジョン装置３００の構成について説明する。なお、テレビジョン装置３００は、本発明の「表示装置」の一例である。また、第１および第２実施形態と同一の構成については、同一の符号を付して説明を省略する。
【００６３】
この第３実施形態では、スタンド取付部材２０およびスタンド部材４０がそれぞれ１つずつ設けられている第１実施形態とは異なり、スタンド取付部材２０およびスタンド部材３４０がそれぞれ２つずつ設けられている例について説明する。
【００６４】
また、第３実施形態では、一方の孔部２２に第1実施形態と同様のボス部５３が係合されるとともに、他方の孔部２２に第２実施形態と同様の突起部２４３ａおよび切り起こし孔部２５にフック部２５３ｂが係合される例について説明する。
【００６５】
図１４に示すように、本発明の第３実施形態によるテレビジョン装置３００は、一対のスタンド取付け部材２０（図１５参照）と、一対のスタンド部材３４０とを備えている。また、一対のスタンド取付け部材２０および一対のスタンド部材３４０は、それぞれ、テレビジョン装置３００の幅方向（Ｘ方向）の両方の端部近傍に下方側（Ｚ２方向側）から取り付けられるように構成されている。
【００６６】
また、スタンド取付部材２０は、図１５および図１６に示すように、Ｘ２方向側の一方の孔部２２にリアキャビネット３５０の第１実施形態と同様のボス部５３（図１０参照）が係合するように構成されている。また、スタンド取付部材２０は、Ｘ１方向側の他方の孔部２２にリアキャビネット３５０の突起部２５３ａが係合するように構成されている。また、スタンド取付部材２０は、突起部２５３ａの近傍の切り起こし孔部２５にリアキャビネット３５０のフック部２５３ｂが係合するように構成されている。なお、フック部２５３ｂには、撓みを制限するために、リブ部３５３ｆが設けられている。
【００６７】
また、スタンド取付部材２０は、まず、切り起こし孔部２５にフック部２５３ｂが係合されて、次に、ネジ５５および座金５６がボス部５３に締結されることにより、リアキャビネット３５０に取り付けられるように構成されている。なお、テレビジョン装置３００は、第２実施形態で説明した移動規制部２５３ｄを有してはいない。これは、テレビジョン装置３００では、前後方向（Ｙ方向）に位置ずれ可能な範囲は、ボス部５３側で決まるためである。
【００６８】
第３実施形態では、以下のような効果を得ることができる。
【００６９】
第３実施形態では、上記のように、第１実施形態と同様、スタンド取付部材２０を、リアキャビネット３５０に位置ずれ可能に取り付けた状態で、表示モジュール１０に固定的に取り付け、スタンド取付部材２０および表示モジュール１０に、それぞれ、互いの位置を決める位置決め構造を設けることによって、一度にリアキャビネット３５０およびスタンド取付部材２０の取り付け作業を行うことができ、組立作業の作業性を向上させることができる。また、リアキャビネット３５０およびスタンド取付部材２０を個別にではなく、共に梱包して輸送することができるので、梱包作業および輸送作業の作業性を向上させることができる。
【００７０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７１】
たとえば、上記第１実施形態では、リアキャビネットにボス部を設け、スタンド取付部材にボス部に係合する孔部を設ける例について示したが、本発明はこれに限られない。本発明では、スタンド取付部材にボス部を設け、リアキャビネットにボス部に係合する孔部を設けてもよい。
【００７２】
また、上記第２実施形態では、リアキャビネットにフック部を設け、スタンド取付部材にフック部に係合する切り起こし孔部を設ける例について示したが、本発明はこれに限られない。本発明では、スタンド取付部材にフック部を設け、リアキャビネットにフック部に係合する切り起こし孔部を設けてもよい。
【００７３】
また、上記第１〜３実施形態では、リアフレームに縦孔部および横孔部を設け、スタンド取付部材に縦孔部および横孔部に嵌め込まれる突起部を設ける例について示したが、本発明はこれに限られない。本発明では、リアフレームに縦孔部および横孔部に嵌め込まれる突起部を設け、スタンド取付部材に縦孔部および横孔部を設けてもよい。
【００７４】
また、上記第１〜第３実施形態では、スタンド取付部材をリアフレームに取り付ける例について示したが、本発明はこれに限られない。本発明では、たとえば、スタンド取付部材をシールドフレームに取り付けてもよい。
【００７５】
また、上記第１〜第３実施形態では、テレビジョン装置に本発明を適用する例について示したが、本発明はこれに限られない。本発明では、たとえば、ディスプレイ装置に適用してもよい。
【００７６】
また、上記第１〜第３実施形態では、リアキャビネットにスタンド取付部材を前後方向、第１方向および第２方向のそれぞれに約０．５ｍｍ位置ずれ可能に取り付ける例について示したが、本発明はこれに限られない。本発明では、たとえば、０．３ｍｍ位置ずれ可能に取り付けてもよい。
【符号の説明】
【００７７】
１０  表示モジュール
１１  表示画面部
１２  リアフレーム
１４  縦孔部（第３位置決め部）
１５  横孔部（第４位置決め部）
２０  スタンド取付部材
２２  孔部（凹部）
２４  突起部（第１位置決め部）
２７  突起部（第２位置決め部）
４０、３４０  スタンド部材
５０、２５０、３５０  リアキャビネット
５３  ボス部（凸部、抜け止め部）
５５  ネジ（抜け防止部材）
５６  座金（抜け防止部材）
１００、２００、３００  テレビジョン装置（表示装置）
２５３ａ  突起部（凸部）
２５３ｂ  フック部（抜け止め部）
【図１】
2015138105.tif 000003
【図２】
2015138105.tif 000004
【図３】
2015138105.tif 000005
【図４】
2015138105.tif 000006
【図５】
2015138105.tif 000007
【図６】
2015138105.tif 000008
【図７】
2015138105.tif 000009
【図８】
2015138105.tif 000010
【図９】
2015138105.tif 000011
【図１０】
2015138105.tif 000012
【図１１】
2015138105.tif 000013
【図１２】
2015138105.tif 000014
【図１３】
2015138105.tif 000015
【図１４】
2015138105.tif 000016
【図１５】
2015138105.tif 000017
【図１６】
2015138105.tif 000018